(57)【特許請求の範囲】
【請求項１】
内側に家庭用薄葉紙が収納される収納空間部を構成するとともに、前記家庭用薄葉紙の取出口が形成された容器本体と、
前記取出口を開閉するように前記容器本体に取り付けられた蓋部と、を備え、
前記収納空間部には、同じ種類若しくは異なる種類の複数の家庭用薄葉紙をそれぞれ収納する複数の第１収納部が設けられ、
前記取出口は、前記複数の第１収納部の各々に対応して前記容器本体の一側部にそれぞれ設けられた複数の第１取出口を有し、
前記蓋部は、前記複数の第１取出口の各々に対応して前記容器本体の一側部に複数取り付けられ、
前記複数の蓋部の各々は、前記第１取出口を開閉するように前記容器本体に回動自在に設けられ、
前記容器本体に設けられ、前記複数の蓋部の各々を開方向に付勢する付勢手段と、
前記付勢手段の付勢力に抗して前記蓋部の各々を前記第１取出口が閉塞状態となるように所定位置に係止する係止手段と、を備え、
前記付勢手段は、前記複数の蓋部により共用される一の部材から構成されていることを特徴とする家庭用薄葉紙収納容器。
【請求項２】
内側に家庭用薄葉紙が収納される収納空間部を構成するとともに、前記家庭用薄葉紙の取出口が形成された容器本体と、
前記取出口を開閉するように前記容器本体に取り付けられた蓋部と、を備え、
前記収納空間部には、同じ種類若しくは異なる種類の複数の家庭用薄葉紙をそれぞれ収納する複数の第１収納部が設けられ、
前記取出口は、前記複数の第１収納部の各々に対応して前記容器本体の一側部にそれぞれ設けられた複数の第１取出口を有し、
前記蓋部は、前記複数の第１取出口の各々に対応して前記容器本体の一側部に複数取り付けられ、
前記複数の蓋部の各々は、前記第１取出口を開閉するように前記容器本体に回動自在に設けられ、
前記容器本体に設けられ、前記複数の蓋部の各々を開方向に付勢する付勢手段と、
前記付勢手段の付勢力に抗して前記蓋部の各々を前記第１取出口が閉塞状態となるように所定位置に係止する係止手段と、を備え、
前記収納空間部に前記第１収納部が互いに連通するように２つ配設されるとともに、これら２つの第１収納部によって当該第１収納部の各々に収納される第１家庭用薄葉紙よりも所定方向の長さが長い第２家庭用薄葉紙を収納可能な第２収納部が構成され、
前記取出口は、前記２つの第１収納部の各々に対応する２つの第１取出口の間に、前記第２収納部に対応して設けられた第２取出口を有し、
前記蓋部は、前記第１取出口の各々に対応するように２つ設けられ、当該２つの蓋部のうち、何れか一方の蓋部を開状態とすることにより形成される開口を介して前記第２収納部に収納された前記第２家庭用薄葉紙を取出可能に構成されていることを特徴とする家庭用薄葉紙収納容器。
【請求項３】
前記付勢手段は、前記複数の蓋部により共用される一の部材から構成されていることを特徴とする請求項２に記載の家庭用薄葉紙収納容器。
【請求項４】
前記第２取出口は、前記第１取出口よりも前記蓋部から離れた位置に形成されていることを特徴とする請求項２又は３に記載の家庭用薄葉紙収納容器。
【請求項５】
前記複数の蓋部の各々と前記容器本体との各隙間を封止する気密手段を備えることを特徴とする請求項１〜４の何れか一項に記載の家庭用薄葉紙収納容器。
【発明の詳細な説明】
【技術分野】
【０００１】
本発明は、ウェットティシュー等の家庭用薄葉紙を収納する家庭用薄葉紙収納容器に関する。
【背景技術】
【０００２】
従来より、家屋の床やトイレ、或いは人体などを拭くためのウェットティシューを収納するウェットティシュー収納容器が知られている。
このウェットティシュー収納容器として、二種類のシート状物の収納及び取り出しを可能に構成されたものが知られている（例えば、特許文献１参照）。
【先行技術文献】
【特許文献】
【０００３】
【特許文献１】特開２００３−１３７３００号公報
【発明の概要】
【発明が解決しようとする課題】
【０００４】
しかしながら、上記特許文献１では、ウェットティシュー収納容器の内部空間を上下に分割して収納空間をそれぞれ形成し、上面及び底面のそれぞれに取出口を設ける構成となっている。このため、ウェットティシュー収納容器を一方の取出口が上を向くように載置して、一方の収納空間に収納されたシート状物を取り出して使用する場合には、他方の収納空間に収納されたシート状物の取出口は下を向いた状態となり、使い勝手が悪いといった問題がある。
【０００５】
そこで、本発明の課題は、複数の家庭用薄葉紙を収納する家庭用薄葉紙収納容器の使い勝手の向上を図ることである。
【課題を解決するための手段】
【０００６】
上記課題を解決するため、請求項１に記載の発明の家庭用薄葉紙収納容器は、
内側に家庭用薄葉紙が収納される収納空間部を構成するとともに、前記家庭用薄葉紙の取出口が形成された容器本体と、
前記取出口を開閉するように前記容器本体に取り付けられた蓋部と、を備え、
前記収納空間部には、同じ種類若しくは異なる種類の複数の家庭用薄葉紙をそれぞれ収納する複数の第１収納部が設けられ、
前記取出口は、前記複数の第１収納部の各々に対応して前記容器本体の一側部にそれぞれ設けられた複数の第１取出口を有し、
前記蓋部は、前記複数の第１取出口の各々に対応して前記容器本体の一側部に複数取り付けられ、
前記複数の蓋部の各々は、前記第１取出口を開閉するように前記容器本体に回動自在に設けられ、
前記容器本体に設けられ、前記複数の蓋部の各々を開方向に付勢する付勢手段と、
前記付勢手段の付勢力に抗して前記蓋部の各々を前記第１取出口が閉塞状態となるように所定位置に係止する係止手段と、を備え、
前記付勢手段は、前記複数の蓋部により共用される一の部材から構成されていることを特徴としている。
【０００７】
請求項２に記載の発明の家庭用薄葉紙収納容器は、
内側に家庭用薄葉紙が収納される収納空間部を構成するとともに、前記家庭用薄葉紙の取出口が形成された容器本体と、
前記取出口を開閉するように前記容器本体に取り付けられた蓋部と、を備え、
前記収納空間部には、同じ種類若しくは異なる種類の複数の家庭用薄葉紙をそれぞれ収納する複数の第１収納部が設けられ、
前記取出口は、前記複数の第１収納部の各々に対応して前記容器本体の一側部にそれぞれ設けられた複数の第１取出口を有し、
前記蓋部は、前記複数の第１取出口の各々に対応して前記容器本体の一側部に複数取り付けられ、
前記複数の蓋部の各々は、前記第１取出口を開閉するように前記容器本体に回動自在に設けられ、
前記容器本体に設けられ、前記複数の蓋部の各々を開方向に付勢する付勢手段と、
前記付勢手段の付勢力に抗して前記蓋部の各々を前記第１取出口が閉塞状態となるように所定位置に係止する係止手段と、を備え、
前記収納空間部に前記第１収納部が互いに連通するように２つ配設されるとともに、これら２つの第１収納部によって当該第１収納部の各々に収納される第１家庭用薄葉紙よりも所定方向の長さが長い第２家庭用薄葉紙を収納可能な第２収納部が構成され、
前記取出口は、前記２つの第１収納部の各々に対応する２つの第１取出口の間に、前記第２収納部に対応して設けられた第２取出口を有し、
前記蓋部は、前記第１取出口の各々に対応するように２つ設けられ、当該２つの蓋部のうち、何れか一方の蓋部を開状態とすることにより形成される開口を介して前記第２収納部に収納された前記第２家庭用薄葉紙を取出可能に構成されていることを特徴としている
。
【０００８】
請求項３に記載の発明は、請求項２に記載の家庭用薄葉紙収納容器において、
前記付勢手段は、前記複数の蓋部により共用される一の部材から構成されていることを特徴としている。
【０００９】
請求項４に記載の発明は、請求項２又は３に記載の家庭用薄葉紙収納容器において、
前記第２取出口は、前記第１取出口よりも前記蓋部から離れた位置に形成されていることを特徴としている。
【００１０】
請求項５に記載の発明は、請求項１〜４の何れか一項に記載の家庭用薄葉紙収納容器において、
前記複数の蓋部の各々と前記容器本体との各隙間を封止する気密手段を備えることを特徴としている。
【発明の効果】
【００１２】
本発明によれば、複数の第１収納部の各々に対応して容器本体の一側部にそれぞれ設けられた複数の第１取出口の各々に対応して容器本体の一側部に取り付けられている複数の蓋部を個別に開閉させることで、複数の第１収納部の各々に収納された同じ種類若しくは異なる種類の複数の家庭用薄葉紙を対応する第１取出口を介して個別に取り出すことができる。即ち、複数の蓋部のうち、何れか一の蓋部を開状態とすることで、一の第１収納部に収納された所定の家庭用薄葉紙のみを取り出すことができるだけでなく、複数の蓋部の両方を同時に開状態とすることで、複数の第１収納部の各々に収納された複数の家庭用薄葉紙の両方を同時に取り出すこともできる。
従って、複数の家庭用薄葉紙を収納する家庭用薄葉紙収納容器の使い勝手の向上を図ることができる。
【図面の簡単な説明】
【００１３】
【図１】本発明を適用した一実施形態の家庭用薄葉紙収納容器を示す斜視図である。
【図２】図１のII−II線における家庭用薄葉紙収納容器の断面図である。
【図３】図１の家庭用薄葉紙収納容器の上蓋部を拡大した状態を示す要部断面図である。
【図４】図１の家庭用薄葉紙収納容器の右側の上蓋部を開放した状態を示す側面図である。
【図５】図１の家庭用薄葉紙収納容器に家庭用薄葉紙を収納した状態を模式的に示す図である。
【図６】家庭用薄葉紙収納容器の変形例を示す斜視図である。
【発明を実施するための形態】
【００１４】
以下に、本発明について、図面を用いて具体的な態様を説明する。ただし、発明の範囲は、図示例に限定されない。
図１は、本発明を適用した一実施形態の家庭用薄葉紙収納容器１００の斜視図である。また、図２は、図１のII−II線における家庭用薄葉紙収納容器１００の断面図である。また、図３は、上蓋部３を拡大した状態を示す要部断面図である。また、図４は、右側の上蓋部３を略９０度開放した状態を示す側面図である。また、図５は、家庭用薄葉紙収納容器１００に家庭用薄葉紙Sを収納した状態を模式的に示す図である。
なお、以下の説明では、家庭用薄葉紙収納容器１００の２つの上蓋部３の各々が開放することで開口が形成される側を右側及び左側とし、左右方向（幅方向）に直交する一方向を前後方向とし、前後方向及び左右方向の双方に直交する方向を上下方向とする。
【００１５】
本実施形態の家庭用薄葉紙収納容器１００は、例えば、図１〜図５に示すように、内側に家庭用薄葉紙S（図５（ａ）等参照）を収納する容器本体１と、この容器本体１の底面開口１ａ（図２参照）を塞ぐ底蓋部２と、容器本体１の上部に設けられた家庭用薄葉紙Sの二つの第１取出口１６、１６を開閉するように当該容器本体１に回動自在に取り付けられた２つの上蓋部３、３等を備え、これら２つの上蓋部３、３を閉じた状態にて、外形が左右方向に長尺な略直方体状に形成されている。
【００１６】
先ず、家庭用薄葉紙Sについて説明する。
家庭用薄葉紙Sとしては、例えば、ドライ若しくはウェット状態のシートやティッシュ等が挙げられる。また、家庭用薄葉紙Sを家庭用薄葉紙収納容器１００に収納した状態で左右方向となる方向の長さ（左右幅）は、当該家庭用薄葉紙収納容器１００の内寸の左右幅と同程度のもの（第２家庭用薄葉紙S2）であっても良いし、家庭用薄葉紙収納容器１００の内寸の左右幅の１／２程度のもの（第１家庭用薄葉紙S1）であっても良い。即ち、家庭用薄葉紙収納容器１００は、左右幅が所定の長さの第１家庭用薄葉紙S1よりも左右方向の長さが長い第２家庭用薄葉紙S2を収納可能に構成されている。
また、以下の説明にあっては、家庭用薄葉紙Sとして、複数枚の家庭用薄葉紙Sが所定の包装体に被覆された状態の詰め替え用パックP（第１詰め替え用パックP1、第２詰め替え用パックP2；図５（ａ）及び図５（ｂ）参照））を例示して説明するが、これに限られるものではなく、所定の包装体に被覆されるか否かは適宜任意に変更可能である。
【００１７】
容器本体１は、上下両側に開口１ａ、１ｂを有するとともに、底面開口１ａを塞ぐように底蓋部２が取り付けられることにより、この底蓋部２とともに家庭用薄葉紙Sを収納する収納空間部４を構成するものである。
具体的には、容器本体１は、例えば、図２〜図５に示すように、上下両端の開口１ａ、１ｂを構成する前後左右の側面部１１、…と、家庭用薄葉紙Sの第１取出口１６及び第２取出口１７を形成する取出口形成面部１２とを備えている。
なお、容器本体１は、例えば、ＰＥ（ポリエチレン）やＰＰ（ポリプロピレン）、或いは、ＡＢＳ樹脂等から形成されているが、容器本体１の材料はこれに限られるものではない。
【００１８】
前後左右の側面部１１、…は、略等しい高さを有し、このうち、前後の２つの側面部１１、１１は、左右方向の長さが略等しい略矩形状に形成され、また、左右の２つの側面部１１、１１は、前後方向の長さが略等しい矩形状に形成されている。
そして、前後左右の側面部１１、…の下端部により、断面略矩形状の底面開口１ａが形成されている。
【００１９】
前後左右の側面部１１、…の下端部と底蓋部２の上端部が係合することにより、底面開口１ａを塞ぐことができる一方で、当該係合を解除することにより、当該容器本体１の内側を開放（露出）させるようになっている。
従って、収納空間部４に第１詰め替え用パックP1や第２詰め替え用パックP2等（家庭用薄葉紙S）を収納する場合には、底蓋部２を側面部１１、…から取り外して当該容器本体１の内側を開放して第１詰め替え用パックP1や第２詰め替え用パックP2等を収納し、その後、側面部１１、…に底蓋部２を取り付けることにより、底面開口１ａを塞ぐようになっている。
【００２０】
なお、底蓋部２は、容器本体１と同様に、例えば、ＰＥ（ポリエチレン）やＰＰ（ポリプロピレン）、或いは、ＡＢＳ樹脂等から形成されているが、底蓋部２の材料はこれに限られるものではない。
【００２１】
また、前後左右の側面部１１、…の上端部により、断面略矩形状の上面開口１ｂが形成されている。
前後の２つの側面部１１、１１の上端部の左右方向略中央部には、上面開口１ｂを塞ぐように取り付けられる２つの上蓋部３、３の前後方向に延在する回動軸３３（図３（ａ）等参照）の軸受部１３がそれぞれ設けられている。即ち、軸受部１３は、上蓋部３が前後方向の軸心回りに回動自在となるように回動軸３３を軸支している。
【００２２】
前後の２つの側面部１１、１１の各々に形成された２つの軸受部１３、１３により左右方向に挟まれるようにして、２つの上蓋部３、３の各々を開方向に付勢する弾性部材１４が設けられている（図３（ａ）等参照）。
弾性部材１４は、例えば、ゴムや熱可塑性エラストマー等から構成された前後方向に長尺な部材であり、取出口形成面部１２の上面部１２１の前後の平面部１２１ｂ、１２１ｂによって両端部が支持されるようにして配設されている。また、弾性部材１４は、各上蓋部３の内側起立面部３２（後述）の外面にそれぞれに当接し、当該内側起立面部３２の各々を左右方向外側にそれぞれ付勢する。即ち、弾性部材１４は、２つの上蓋部３、３の内側起立面部３２の間に設けられ、２つの上蓋部３、３により共用されている。
ここで、各上蓋部３は、前後方向の軸心回りに回動自在となっているため、各内側起立面部３２が弾性部材１４により左右方向外側に付勢されることで、当該上蓋部３が開方向に付勢された状態となっている。
このように、弾性部材１４は、複数の上蓋部３の各々を開方向に付勢する付勢手段を構成している。
なお、上蓋部３の詳細な構成については、後述する。
【００２３】
左右の２つの側面部１１、１１の上端部の前後方向略中央部には、上蓋部３の縁部に指や爪等を引っかけるための凹部１５がそれぞれ形成されている。
凹部１５は、上蓋部３の下面よりも深くなるように凹んでおり、この凹部１５の奥側縁部（例えば、右側の凹部１５における左側縁部等）が、上蓋部３の手前側の端部（例えば、右側の上蓋部３における右側の端部等）よりも奥側に配置されている。
【００２４】
また、凹部１５の下端部と取出口形成面部１２の上面部１２１との間には、上蓋部３の凸部３５と係合する被係合部１５ａを構成する所定の空間が形成されている（図２等参照）。そして、上蓋部３の凸部３５が被係合部１５ａと係合することで弾性部材１４の付勢力に抗して上蓋部３が係止された状態、即ち、上蓋部３が第１取出口１６を閉塞した状態となって、上蓋部３の第１取出口１６を開放するような左右方向内側に対する回動が規制される。
ここで、被係合部１５ａと上蓋部３の凸部３５は、弾性部材１４の付勢力に抗して上蓋部３の各々を第１取出口１６が閉塞状態となるように所定位置に係止する係止手段を構成している。
【００２５】
そして、上蓋部３が係止された状態、即ち、上蓋部３が第１取出口１６を閉塞した状態にて、凹部１５に指や爪を入れて上蓋部３の縁部に引っかけて当該上蓋部３を前後方向の軸心回りに上方向に回動させることにより、上蓋部３の凸部３５と被係合部１５ａとの係合（上蓋部３の係止）が解除され、弾性部材１４の復元力に起因する付勢力により上蓋部３が前後方向の軸心回りに跳ね上げられる。これにより、第１取出口１６が開放状態となる。
【００２６】
取出口形成面部１２は、前後左右の側面部１１、…の内面に連続して形成され、２つの第１取出口１６、１６が形成された上面部１２１と、この上面部１２１の内側端部に連続して形成された起立面部１２２と、この起立面部１２２の下端部に連続して形成され、第２取出口１７が形成された下面部１２３とを具備している。
【００２７】
上面部１２１は、前後左右の側面部１１、…の内面の上面開口１ｂ側の所定位置から内側に突出するように形成された前後方向及び左右方向に略平行な平面であり、平面視にて左右方向に長尺な環状（略「ロ」字状）をなしている。
具体的には、上面部１２１は、第１取出口１６がそれぞれ形成された左右の平面部１２１ａ、１２１ａと、これら左右の平面部１２１ａ、１２１ａをつなぐ前後の平面部１２１ｂ、１２１ｂとを具備している（図１（ｂ）等参照）。
【００２８】
左右の平面部１２１ａ、１２１ａは、前後方向に長尺な略矩形状をなし、前後方向略中央部に第１取出口１６がそれぞれ形成されている。つまり、２つの第１取出口１６、１６は、容器本体１の上側部（一側部）にそれぞれ設けられている。
前後の平面部１２１ｂ、１２１ｂは、左右方向に長尺な略矩形状をなし、左右方向略中央部によって弾性部材１４が下側から支持されている。
なお、第１取出口１６は、例えば、平面視略矩形状に形成された開口である。
【００２９】
起立面部１２２は、上面部１２１の前後左右の各平面部の内側端部から下方向に略等しい深さ（高さ）に突出して形成されている。
【００３０】
下面部１２３は、前後方向及び左右方向に略平行な平面であり、前後方向に長尺な略矩形状をなしている。
また、下面部１２３の前後方向略中央部に、例えば、平面視略矩形状に形成された第２取出口１７が形成されている。即ち、第２取出口１７は、２つの第１取出口１６、１６の間に設けられている。また、第２取出口１７は、第１取出口１６よりも下側、つまり、上蓋部３から離れた位置に形成されている。
【００３１】
また、取出口形成面部１２は、家庭用薄葉紙Sが収納される収納空間部４の上面を構成している。即ち、容器本体１の前後左右の側面部１１、…と取出口形成面部１２と底蓋部２とによって、家庭用薄葉紙Sが収納される収納空間部４を構成している。
【００３２】
収納空間部４は、２つの第１取出口１６の各々の下側に、互いに連通するように２つの第１収納部４１、４１が配設されている（図５（ａ）参照）。つまり、第１取出口１６は、２つの第１収納部４１の各々に対応して設けられている。
第１収納部４１は、左右方向の長さが当該家庭用薄葉紙収納容器１００の内寸の１／２程度の第１家庭用薄葉紙S1（第１詰め替え用パックP1）を収納する。従って、家庭用薄葉紙収納容器１００は、２つの第１詰め替え用パックP1、P1を収納可能になっている（図５（ａ）参照）。
なお、第１収納部４１に収納される家庭用薄葉紙Sは、同じ種類であっても良いし、異なる種類（例えば、ドライ状態のものとウェット状態のもの等）であっても良い。
【００３３】
また、２つの第１収納部４１、４１によって当該第１収納部４１の各々に収納される第１家庭用薄葉紙S1よりも左右方向の長さが長い第２家庭用薄葉紙S2（第２詰め替え用パックP2）を収納可能な第２収納部４２が構成されている（図５（ｂ）参照）。即ち、第２収納部４２は、左右方向の長さが家庭用薄葉紙収納容器１００の内寸と同程度の第２家庭用薄葉紙S2（第２詰め替え用パックP2）を収納する。
第２収納部４２に収納された第２家庭用薄葉紙S2の取り出しは、２つの第１取出口１６、１６の間に設けられた第２取出口１７を介して行われる。つまり、第２取出口１７は、第２収納部４２に対応して設けられている。そして、２つの上蓋部３、３のうち、何れか一方の上蓋部３（例えば、右側の上蓋部３等）を開状態とすることにより形成される開口を介して第２収納部４２に収納された第２家庭用薄葉紙S2を取出可能となっている（図５（ｂ）参照）。
【００３４】
なお、上面部１２１と起立面部１２２との接続部分は、例えば、滑らかな曲線を描くように面取りされても良く、これにより、第２取出口１７から家庭用薄葉紙Sを取り出す際に、家庭用薄葉紙Sを把持するための指をスムーズに出し入れしたり、家庭用薄葉紙S自体をスムーズに取り出すことができる。
【００３５】
２つの上蓋部３、３の各々は、天面部３１を有するとともに下端部に開口部が設けられた箱状に形成されている。具体的には、各上蓋部３は、天面部３１と、この天面部３１の左右方向内側の端部に連続して形成された内側起立面部３２と、この内側起立面部３２と天面部３１との境目部分に形成された回動軸３３と、天面部３１の下面に形成された気密部３４とを備えている（図３及び図４等参照）。
【００３６】
天面部３１は、前後方向に長尺な略矩形状をなし、上蓋部３が閉じられた状態にて、容器本体１の前後左右の側面部１１、…の上端面と略面一となる。
また、天面部３１の左右方向内側の端部の前後方向中央部よりの位置に、内側起立面部３２が設けられている。
【００３７】
内側起立面部３２は、天面部３１の下面から当該天面部３１に対して略直交するように下方向に所定の長さ突出して形成されている（図３（ａ）等参照）。また、内側起立面部３２の前後方向の長さは、取出口形成面部１２の上面部１２１の前後の平面部１２１ｂ、１２１ｂどうしの間隔と略等しいか、或いは、その間隔よりもわずかに短くなっている。
【００３８】
気密部３４は、天面部３１の左右方向の内側にて内側起立面部３２を前後方向に挟むとともに、天面部３１の外縁部に沿うように略「Ｃ」字状に形成されている。即ち、気密部３４は、天面部３１の左右方向の内側にて内側起立面部３２の前後方向の外側に延在し、天面部３１の前後両側にて当該天面部３１の前後両端部に沿って延在し、天面部３１の左右方向の外側にて当該天面部３１の左右方向の外端部よりもわずかに内側部分に沿って延在するように配設されている（図５参照）。
また、気密部３４は、天面部３１に対して略直交するように下方向に所定の長さ突出しており、例えば、内側起立面部３２と略等しい高さを有している。具体的には、第１取出口１６を閉塞するように上蓋部３が閉じた状態にて、気密部３４の先端部（図３（ａ）等における下端部）が取出口形成面部１２の上面部１２１に当接する程度となっている。
【００３９】
従って、各上蓋部３が閉じた状態では、気密部３４の先端部が取出口形成面部１２の上面部１２１に当接するとともに、内側起立面部３２が弾性部材１４に当接した状態となって、各上蓋部３と容器本体１との各隙間が封止される。これにより、家庭用薄葉紙Sの収納空間部４を気密状態とする。
なお、気密部３４は、例えば、弾性部材１４と同様に、ゴムや熱可塑性エラストマー等から構成されているが、一例であってこれに限られるものではなく、適宜任意に変更可能である。
このように、気密部３４、内側起立面部３２及び弾性部材１４は、２つの上蓋部３、３の各々と容器本体１との各隙間を封止する気密手段を構成している。
【００４０】
また、気密部３４の天面部３１の左右方向外側に配設された部分の外面には、上蓋部３が閉じた状態にて、凹部１５の被係合部１５ａと係合する凸部３５が一体となって形成されている。
各凸部３５は、気密部３４の左右方向外側に配設された部分の外面から、上蓋部３が閉じた状態にて左右方向外側に所定の長さ突出するように形成されている。
なお、凸部３５と気密部３４とは一体となって設けられているが、当該気密部３４の外面に別部材として取り付けられても良い。同様に、天面部３１と気密部３４とは別部材として取付けられているが、一体となって構成されても良い。
【００４１】
以上のように、本実施形態の家庭用薄葉紙収納容器１００によれば、２つの第１収納部４１、４１の各々に対応して容器本体１の上側部にそれぞれ設けられた２つの第１取出口１６、１６の各々に対応して容器本体１の上側部に取り付けられている２つの上蓋部３、３を個別に開閉させることで、２つの第１収納部４１、４１の各々に収納された同じ種類若しくは異なる種類の２つの家庭用薄葉紙Sを対応する第１取出口１６を介して個別に取り出すことができる。即ち、２つの上蓋部３、３のうち、何れか一の上蓋部３を開状態とすることで、一の第１収納部４１に収納された所定の家庭用薄葉紙Sのみを取り出すことができるだけでなく、２つの上蓋部３、３の両方を同時に開状態とすることで、２つの第１収納部４１、４１の各々に収納された複数の家庭用薄葉紙S、…の両方を同時に取り出すこともできる。
従って、複数の家庭用薄葉紙S、…を収納する家庭用薄葉紙収納容器１００の使い勝手の向上を図ることができる。
【００４２】
また、容器本体１に回動自在に設けられた２つの上蓋部３、３の各々を開方向に付勢する弾性部材１４の付勢力に抗して、第１取出口１６が閉塞状態となるように当該上蓋部３の各々を所定位置に係止しているので、当該各上蓋部３の係止が解除されるだけで、弾性部材１４の付勢力により上蓋部３を開状態として、第１取出口１６を開放状態とすることができる。即ち、第１取出口１６の開閉を簡便に行うことができ、家庭用薄葉紙収納容器１００の使い勝手を更に向上させることができる。
また、一の弾性部材１４を２つの上蓋部３、３により共用することができるので、上蓋部３の開閉に係る構造を簡略化することができ、当該家庭用薄葉紙収納容器１００のコストダウンを図ることができる。
【００４３】
さらに、互いに連通するように配設された２つの第１収納部４１、４１によって第２収納部４２が構成され、２つの第１収納部４１、４１の各々に対応する２つの第１取出口１６、１６の間に、第２収納部４２に対応して第２取出口１７が設けられ、２つの上蓋部３、３のうち、何れか一方の上蓋部３を開状態とすることにより形成される開口を介して第２収納部４２に収納された第２家庭用薄葉紙S2を取り出すことができる。即ち、第２収納部４２には、第１収納部４１の各々に収納される第１家庭用薄葉紙S1よりも左右方向の長さが長い第２家庭用薄葉紙S2を収納することができ、当該家庭用薄葉紙収納容器１００を一種類の家庭用薄葉紙Sを収納する収納容器としても利用することができる。
このとき、第２取出口１７は、第１取出口１６よりも上蓋部３から離れた位置に形成されているので、第２取出口１７を介して第２家庭用薄葉紙S2を取り出す際に、当該家庭用薄葉紙収納容器１００の内側に差し込まれる指や爪などを上蓋部３と干渉し難くすることができ、家庭用薄葉紙収納容器１００の使い勝手を更に向上させることができる。
【００４４】
また、２つの上蓋部３、３を閉じた状態にて、当該上蓋部３の各々と容器本体１との各隙間が気密部３４、内側起立面部３２及び弾性部材１４によって封止されているので、家庭用薄葉紙Sの収納空間部４の気密性を高めることができ、容器本体１内に収納されたウェットタイプの家庭用薄葉紙Sの乾燥を防止することができるとともに、当該家庭用薄葉紙Sに異物が付着することを適正に防止することができる。
【００４５】
なお、本発明は、上記実施形態に限定されることなく、本発明の趣旨を逸脱しない範囲において、種々の改良並びに設計の変更を行っても良い。
例えば、図６（ａ）及び図６（ｂ）に示すように、家庭用薄葉紙Sの詰め替えの際に内側を開放（露出）させるための開口を容器本体２０１の一の側面部２１１（例えば、右の側面部等）に設けても良い。
【００４６】
即ち、変形例１の家庭用薄葉紙収納容器２００の容器本体２０１は、有底構造をなし、右の側面部２１１に第１詰め替え用パックP1や第２詰め替え用パックP2（家庭用薄葉紙S）の通過用の開口を開閉する開閉部材２０２が設けられている。
開閉部材２０２は、例えば、略矩形状をなし、上端部に設けられた所定の回動軸３３により前後方向の軸心回りに回動自在となっている。そして、開閉部材２０２を前後方向の軸心回りに上側に回動させることで開口を開状態として、収納空間部４に第１詰め替え用パックP1や第２詰め替え用パックP2等を収納する。その後、開閉部材２０２を前後方向の軸心回りに下側に回動させることで開口を閉じた状態とする。
【００４７】
なお、ウェット状態のシートやティッシュ等の家庭用薄葉紙Sを収納する場合には、開閉部材２０２と容器本体１との各隙間を封止する気密手段を設けても良い。
【００４８】
また、上記実施形態では、上蓋部３、第１取出口１６及び第１収納部４１をそれぞれ２つずつ設けるようにしたが、上蓋部３、第１取出口１６及び第１収納部４１の数は一例であってこれに限られるものではなく、適宜任意に変更可能である。
【００４９】
さらに、上記実施形態では、気密部３４を上蓋部３に設けるようにしたが、気密部３４の配設位置は一例であってこれに限られるものではなく、例えば、容器本体１の所定位置（例えば、取出口形成面部１２等）など適宜任意に変更可能である。
なお、上記実施形態では、気密部３４を備える構成を例示したが、気密部３４を備えるか否かは適宜任意に変更可能であり、例えば、ドライのシートやティシューを収納する構成の場合などでは、気密部３４を必ずしも設ける必要はない。
【００５０】
また、上記実施形態では、家庭用薄葉紙収納容器１００（２００）として、第１取出口１６及び上蓋部３が容器本体１の上側部に配設された構成を例示したが、第１取出口１６及び上蓋部３の配設位置は一例であってこれに限られるものではなく、例えば、上下に起立する壁面に固定して使用する家庭用薄葉紙収納容器１００にあっては、使用者の手前側となる部分など適宜任意に変更可能である。
【００５１】
さらに、上記実施形態では、上蓋部３を回動自在に構成するとともに、弾性部材１４（付勢手段）及び係止手段を備える構成を例示したが、上蓋部３を回動自在に構成するか否かや、弾性部材１４及び係止手段を備えるか否かは適宜任意に変更可能である。
【符号の説明】
【００５２】
１００、２００  家庭用薄葉紙収納容器
１、２０１  容器本体
１４    弾性部材（気密手段、付勢手段）
１５ａ  被係合部
１６    第１取出口
１７    第２取出口
３      上蓋部
３２    内側起立面部（気密手段）
３４    気密部（気密手段）
３５    凸部（係止手段）
４      収納空間部
４１    第１収納部
４２    第２収納部
Ｓ      家庭用薄葉紙
【図１】
0005715787.tif 000002
【図２】
0005715787.tif 000003
【図３】
0005715787.tif 000004
【図４】
0005715787.tif 000005
【図５】
0005715787.tif 000006
【図６】
0005715787.tif 000007